(57)【特許請求の範囲】
【請求項１】
隣接するコンクリートブロック間に植生部を介在させつつ多数の該コンクリートブロックを敷設してなる舗装構造であって、
４角形状の板部材の各角部に前記コンクリートブロックの角部の形状に合わせた切り込みを形成することで中央部分から外側４方向にスペーサ片が突出する十字形状の固定具を用い、該固定具の各切り込みに４個の前記コンクリートブロックの角部を各々はめ込みつつ、前記スペーサ片を介在させて隣接するコンクリートブロック間に間隔を保持しながら前記コンクリートブロックを縦横に多数敷並べ、コンクリートブロック間の前記間隔が連続することにより形成される平面視帯状且つ格子状の溝に植生を施して植生部とし、
且つ前記固定具のスペーサ片の先端部には、上方に立ち上がる立ち上がり片が設けられ、該立ち上がり片は、その側面が前記コンクリートブロックの側面に沿って配置されることを特徴とするコンクリートブロックによる舗装構造。
【請求項２】
隣接するコンクリートブロック間に植生部を介在させつつ多数の該コンクリートブロックを敷設してなる舗装構造において用いるコンクリートブロックの固定具であって、
４角形状の板部材の各角部に前記コンクリートブロックの角部の形状に合わせた切り込みを形成することで中央部分から外側４方向にスペーサ片が突出する十字形状を備え、該固定具の各切り込みに４個の前記コンクリートブロックの角部を各々はめ込むようにし、
且つ前記スペーサ片の先端部には、上方に立ち上がる立ち上がり片が設けられ、該立ち上がり片は、その側面が前記コンクリートブロックの側面に沿って配置されることを特徴とする固定具。
【請求項３】
生分解性プラスチック成形物であることを特徴とする請求項２記載の固定具。
【請求項４】
生分解性プラスチック１００重量部に対して、飛粉を１０〜９０重量部含有する生分解性プラスチック成形物であることを特徴とする請求項３記載の固定具。
【発明の詳細な説明】
【０００１】
【発明の属する技術分野】
本発明は、隣接するコンクリートブロック間に植生部を介在させつつ多数の該コンクリートブロックを敷設してなる舗装構造、及び該舗装構造に用いるコンクリートブロックの固定具に関する。
【０００２】
【従来の技術及び発明が解決しようとする課題】
遊歩道や公園の路面等に用いられる舗装用のコンクリートブロックは、多数のブロックが互いに噛み合うような形状に配置され、一体となって荷重等を支持すると共に、隣接するブロック間の隙間によって適度のフレキシビリティーを備える。
【０００３】
かかるコンクリートブロックを用いた舗装構造の景観を向上させるために、植生を施すことのできるブロックが種々に提案されている。このブロックは、例えばその内側部分に表面側に開口する空洞部が形成されており、これの内部に例えば芝等からなる植生を施して緑化を図るものである。
【０００４】
しかしながら、従来のコンクリートブロックを用いた舗装構造の植生部は、各植生用ブロックの空洞部に形成されるものであるため、植生のための単価が高くなり、また、各空洞部が各々分離していて空洞部の内部に空気が入りにくいため、植生が枯化しやすく、張り替え等を頻繁に行う必要を生じることになるという課題があった。
【０００５】
本発明は、上記従来の課題に鑑みてなされたもので、植生部を安価に設けて容易に美観を向上させることができると共に、植生を枯化させずに維持することが容易なコンクリートブロックによる舗装構造、及び該舗装構造に用いるコンクリートブロックの固定具を提供することを目的とする。
【０００６】
【課題を解決するための手段】
本発明は、隣接するコンクリートブロック間に植生部を介在させつつ多数の該コンクリートブロックを敷設してなる舗装構造であって、４角形状の板部材の各角部に前記コンクリートブロックの角部の形状に合わせた切り込みを形成することで中央部分から外側４方向にスペーサ片が突出する十字形状の固定具を用い、該固定具の各切り込みに４個の前記コンクリートブロックの角部を各々はめ込みつつ、前記スペーサ片を介在させて隣接するコンクリートブロック間に間隔を保持しながら前記コンクリートブロックを縦横に多数敷並べ、コンクリートブロック間の前記間隔が連続することにより形成される平面視帯状且つ格子状の溝に植生を施して植生部とし、且つ前記固定具のスペーサ片の先端部には、上方に立ち上がる立ち上がり片が設けられ、該立ち上がり片は、その側面が前記コンクリートブロックの側面に沿って配置されることを特徴とするコンクリートブロックによる舗装構造を提供することにより、上記目的を達成したものである（請求項１記載の発明）。
【０００７】
本発明の舗装構造は、前記固定具のスペーサ片の先端部には、上方に立ち上がる立ち上がり片を設け、該立ち上がり片は、その側面が前記コンクリートブロックの側面に沿って配置されるようにすることが好ましい（請求項２記載の発明）。
【０００８】
また、本発明は、隣接するコンクリートブロック間に植生部を介在させつつ多数の該コンクリートブロックを敷設してなる舗装構造において用いるコンクリートブロックの固定具であって、４角形状の板部材の各角部に前記コンクリートブロックの角部の形状に合わせた切り込みを形成することで中央部分から外側４方向にスペーサ片が突出する十字形状を備え、該固定具の各切り込みに４個の前記コンクリートブロックの角部を各々はめ込むようにし、且つ前記スペーサ片の先端部には、上方に立ち上がる立ち上がり片が設けられ、該立ち上がり片は、その側面が前記コンクリートブロックの側面に沿って配置されることを特徴とする固定具を提供することにより、上記目的を達成したものである（請求項２記載の発明）。
【０００９】
本発明の固定具は、前記スペーサ片の先端部には、上方に立ち上がる立ち上がり片を設け、該立ち上がり片は、その側面が前記コンクリートブロックの側面に沿って配置されるようにすることが好ましい（請求項４記載の発明）。
。
【００１０】
また、本発明の固定具は、生分解性プラスチック成形物であることが好ましい（請求項５記載の発明）。
【００１１】
さらに、本発明の固定具は、生分解性プラスチック１００重量部に対して、飛粉を１０〜９０重量部含有する生分解性プラスチック成形物であることが好ましい（請求項６記載の発明）。
【００１２】
【発明の実施の形態】
以下、本発明の好ましい実施形態を、添付図面を参照しつつ詳細に説明する。本実施形態のコンクリートブロックによる舗装構造１０は、図１に示すように、隣接するコンクリートブロック１１間に植生部１９を介在させつつ多数の該コンクリートブロック１１を縦横に敷設してなる舗装構造である。
【００１３】
そして、本実施形態の舗装構造１０は以下に述べる方法によって設けられる。すなわち、図２〜図４に示すように、基礎底盤１４上に各コンクリートブロック（インターロッキングブロック）１１を縦横に敷並べる際に、正方形状の板部材１７の各角部にコンクリートブロック１１の角部の形状に合わせた切り込み１２を形成することで、中央部分から外側４方向にスペーサ片１３が突出する十字形状の固定具１５を用いる（図４参照）。この固定具１５の各切り込み１２に、前後左右に配置される４個のコンクリートブロック１１の角部を各々はめ込みつつ、且つスペーサ片１３を隣接するコンクリートブロック１１間に介在させて間隔を保持しながら、コンクリートブロックを縦横に多数敷並べる（図２参照）。このようにして前後左右に配設される各４個のコンクリートブロック１１の中心部分に固定具１５を配置しながら、多数のコンクリートブロック１１を縦横に並べて敷設することにより、各隣接するコンクリートブロック１１間の間隔が連続して、平面で視て帯状且つ格子状に延設される矩形断面の溝１６が形成される。この溝１６に植生土を埋め立て、植生を施すことにより植生部１９が格子状に設けられる。なお、固定具１５は植生土の中に埋め込まれる。
【００１４】
コンクリートブロック１１は、例えば幅１００ｍｍ、長さ２００ｍｍ、厚さ６０ｍｍ程度の大きさの、直方体形状のコンクリート製のブロックであって、クラッシャラン、粒度調整砕石、砂等を敷設して形成された基礎底盤１４上に、縦横に多数敷並べられる。
【００１５】
図４に示す本実施形態の固定具１５は、上述したように、例えば一辺が１３０ｍｍ程度の大きさの正方形状の板部材１７の各角部に、コンクリートブロック１１の角部の形状に合わせた、例えば一辺が４０ｍｍ程度の大きさの正方形状の切り込み１２を形成することで、中央部分から外側４方向に例えば幅が５０ｍｍ程度の大きさのスペーサ片１３が突出する十字形の平面形状を備える。また、本実施形態によれば、各スペーサ片１３の先端部には、当該先端部から湾曲して垂直に上方に立ち上がる、例えば高さが４０ｍｍ程度の立ち上がり片１８が設けられている。
【００１６】
そして、本実施形態の固定具１５は、基礎底盤１４上に各コンクリートブロック１１を縦横に敷並べる際に、板部材１７がコンクリートブロック１１の下部に配置されるようにして各４体のコンクリートブロック１１の中央部分に設置される（図２及び図３参照）。また、切り込み１２にはめこまれたコンクリートブロック１１の各角部の側面が、スペーサ片１３の側面に密着するようにして当接する。さらに、スペーサ片１３の先端の立ち上がり片１８は、その側面がコンクリートブロック１１の側面に沿って密着するように配置される。
【００１７】
したがって、本実施形態によれば、互いに間隔を置いて縦横に敷並べられた多数のコンクリートブロック１１は、これの側面に密着する各角部に配置された固定具１５を介して互いに噛み合うようにして一体化し、コンクリートブロック１１としての機能を大幅に低下させることなく、一体となって効率良く荷重を支持する。
【００１８】
また、本実施形態によれば、固定具１５はコンクリートブロック１１の側面に沿って縦方向に延設される立ち上がり片１８を備えていることにより、周囲に配置されたコンクリートブロック１１を三次元的にロックすることができ、これによって、コンクリートブロック１１の回転変位を効果的に抑制して、固定具１５の板部材１７を大幅に厚くすることなく、コンクリートブロック１１としての機能をさらに効果的に発揮させることを可能にする。
【００１９】
そして、固定具１５をコンクリートブロック１１の角部に介在させながら、多数のコンクリートブロック１１を縦横に敷き並べることにより形成される、上記帯状且つ格子状に延設される矩形断面の溝１６には、植生土を埋め立て、植生を施すことにより植生部１９が設けられる（図１参照）。植生土としては、造園用或いは法面防護用等に用いられる公知の種々のものを使用することができ、例えば肥沃な土やこれに植物種子を混入したもの等を使用することができる。この植生土に例えば芝等を貼り付けたり、植物種子を生育させたりすることによって植生を施して、格子状に設けられた植生部１９が形成され、緑化による景観の向上が図られることになる。
【００２０】
すなわち、本実施形態によれば、内側部分に空洞部が形成された植生のための専用のブロックを特に用いることなく、コンクリートブロック１１による舗装構造１０に、植生部１９を容易かつ安価に設けることができると共に、設けられた植生部１９は、帯状且つ格子状に縦横に連続的に形成されていることにより、通気性や通水性に優れ、空気や水分の流通を良好に保持して、植生を枯化させずに維持することが容易となる。
【００２１】
なお、固定具１５は、その板部材１７が、各コンクリートブロック１１の下部に配置され、また立ち上がり片１８は、コンクリートブロック１１の上方に突出することなく、その上端が溝１６の内部に配置されることにより（図３参照）、各固定具１５は、溝１６内に充填された植生土の中に完全に埋設されることになる。
【００２２】
そして、本実施形態によれば、固定具１５は、生分解性プラスチック成形物からなる。生分解性プラスチックは、自然界に存在する微生物の酵素によって分解され、生態系の循環サイクルに還元することのできる材料であって、自然環境の中においてなかなか分解されずに焼却処分や埋立処理を必要とする一般のプラスチック材料とは異なり、環境に与える影響が極めて少ない材料である。
【００２３】
また、本実施形態によれば、固定具１５は、特に、生分解性プラスチック１００重量部に対して、飛粉を１０〜９０重量部含有する生分解性プラスチック成形物からなる。従来より公知の生分解性プラスチックは、汎用プラスチックに比べて極めて高価であり、付加価値を伴わない一般の製品には実質的に利用されていないのが現状であったが、本実施形態の固定具１５は、上記配合の生分解性プラスチック成形物であることにより、安価で優れた機械的特性を有し、しかも良好な生分解性を有する。すなわち、本発明者らは、検討の結果、生分解性プラスチックに、乾燥コンニャク芋チップからコンニャク粉を製造する際に副生される飛粉を一定量含有させることによって、上記物性を有する生分解性プラスチック成形物が安価且つ容易に得られることを知見した。
【００２４】
ここで、本実施形態の生分解性プラスチック成形物である固定具１５に用いられる生分解性プラスチックは、特に制限されず、例えば糖質（澱粉、キトサン、セルロース等）等の天然物を他のプラスチック（ＰＶＡ等）と混合したもの、微生物により合成されたもの（微生物産生ポリエステル等）、化学的に合成されたもの（脂肪族ポリエステル、乳酸等）がある。
【００２５】
ここでいう生分解とは、高分子物質（タンパク質、核酸、多糖類、ポリエステル等）を微生物が体外に分泌する加水分解酵素によって、高分子鎖が切断され低分子物質（アミノ酸、単糖類、脂肪酸）の化合物となり、次いで、分解生成物（低分子物質）は、微生物体内に送りこまれて各種の生体分子や二酸化炭素と水に代謝されることをいう。
【００２６】
また、飛粉（とびこ）とは、乾燥コンニャク芋チップ（荒粉：あらこ）からコンニャク粉（精粉：せいこ）を製造する際に副生される微粉末状の副産物であり、精粉の７０〜８０重量％に相当する量が生成する。飛粉の主成分は澱粉や微粉化精粉等の炭水化物であるが、タンパク質も２２〜２６重量％含まれる。この飛粉は、その特有な臭気とえぐ味のため一部が飼料のバインダーとして使用されているほか、蚊取り線香や鋳物の金型のバインダーとして利用されている例を除けば、大半が産業廃棄物として取り扱われている。飛粉の価格は１ｋｇ当たり数円と安く、従来から工業用有機資源としての有効な利用が切望されていた。
【００２７】
本実施形態の生分解性プラスチック成形物において、飛粉は生分解性プラスチック１００重量部に対して、１０〜９０重量部、好ましくは３０〜７０重量部含有される。飛粉の含有量が１０重量部未満では、得られる生分解性プラスチック成形物が高価となり、種々の用途に供することができず、飛粉の含有量が９０重量部を超えると得られる生分解性プラスチック成形物が機械的強度に劣ったものとなる。
【００２８】
本実施形態の生分解性プラスチック成形物には、その用途に応じて通常のプラスチックに用いられる各種の配合剤を含有することができる。例えば無機充填剤、可塑剤、安定剤、充填剤、補強剤、酸化防止剤、紫外線吸収剤、発泡剤、難燃剤、帯電防止剤、滑剤、着色剤等である。
【００２９】
本実施形態の生分解性プラスチック成形物である固定具１５の製造方法は、特に制限されないが、例えば次の方法によって製造される。すなわち、まず上記した各種の生分解性プラスチックと飛粉、さらに必要に応じて各種配合剤を混合し、チップとする。この混合に際して、飛粉は水分吸収率が高いため、よく乾燥する必要がある。次に、このチップを射出成形し、ペレットとする。さらに、上述の固定具１５の形状に二次加工し、生分解性プラスチック成形物とする。
【００３０】
このようにして得られた固定具１５は、飛粉特有の魚臭は感じられず、優れた機械的特性を有する。また、飛粉は天然の完全分解型ポリマーでもあり、しかも水分吸収が容易であることから、土壌中の微生物も発生し易くなり、良好な生分解性を有する。このため、本実施形態の生分解性プラスチック成形物である固定具１５は植生土中に埋立されて、長期にわたる時間の経過と共に自然に分解することになる。
【００３１】
なお、本発明は、上記実施形態に限定されることなく種々の変更が可能である。例えば、固定具は、必ずしも生分解性プラスチック成形物である必要はなく、生分解性を有しない一般のプラスチック材料や鋼製の成形物であっても良い。
【００３２】
また、板部材は、必ずしも正方形状のである必要はなく、長方形状や台形状のものであっても良い。さらにまた、切り込みの形状は、コンクリートブロックの角部の形状に合わせて任意に形成することができ、スペーサ片の幅や長さも、必要とする植生部の幅やコンクリートブロックのロック力等を鑑みて適宜設計することができる。例えば、図５（ａ）及び（ｂ）に示すように、凹凸形状の外周面を有するコンクリートブロック２０（（ａ）参照）や、放射状に配置されるコンクリートブロック３０（（ｂ）参照）を多数敷設する際に採用することもできる。
【００３３】
【発明の効果】
本発明のコンクリートブロックによる舗装構造及び固定具によれば、植生を安価に設けて容易に美観を向上させることができると共に、植生を枯化させずに維持することが容易である。
【図面の簡単な説明】
【図１】本発明の一実施形態に係る舗装構造の、植生を施した後の状況を示す部分平面図である。
【図２】本発明の一実施形態に係る舗装構造の、植生を施す前の状況を示す部分平面図である。
【図３】図２のＡ−Ａに沿った断面図である。
【図４】本発明の一実施形態に係る固定具を示す斜視図である。
【図５】（ａ）及び（ｂ）は、本発明の他の実施形態に係る舗装構造の、植生を施す前の状況を示す部分平面図である。
【符号の説明】
１０  舗装構造
１１  コンクリートブロック
１２  切り込み
１３  スペーサ片
１４  基礎底盤
１５  固定具
１６  溝
１７  板部材
１８  立ち上がり片
１９  植生部
【図１】
0004124909.tif 000002
【図２】
0004124909.tif 000003
【図３】
0004124909.tif 000004
【図４】
0004124909.tif 000005
【図５】
0004124909.tif 000006